(57)【要約】【課題】簡単かつ確実に画像データを管理することができる記録媒体の提供。【解決手段】画像データと、コンピュータを、記録媒体に記録された画像データを表示手段に表示させる表示制御手段２２、該表示制御手段を機能させた後において、該画像データを特定の管理プログラムが管理可能な記録領域に記録させる記録制御手段２３として機能させる制御プログラムとが記録されたものであり、管理対象となる画像データと制御プログラムと必要に応じて管理プログラムとを記録媒体に記録してユーザに提供することにより、ユーザは記録媒体をコンピュータ機器のスロットに装填すれば、自動的に記録媒体に記録された画像データが表示手段に表示され、その後、画像データは特定の管理プログラムで管理可能な記録領域に自動的に記録されるため、管理プログラムを用いて画像データを簡単かつ確実に管理することができる。【選択図】図７
2005332562.tif 000002
【特許請求の範囲】
【請求項１】
画像データと、
コンピュータを、記録媒体に記録された画像データに基づく画像を表示手段に表示させる表示制御手段、前記表示制御手段を機能させた後において、前記画像データを特定の管理プログラムが管理可能な記録領域に記録する記録制御手段として機能させる制御プログラムと、が少なくとも記録されていることを特徴とする記録媒体。
【請求項２】
画像データと、
コンピュータを、記録媒体に記録された画像データに基づく画像を表示手段に表示させる表示制御手段、前記表示制御手段を機能させた後において、前記画像データを自らが管理可能な記録領域に記録する特定の管理プログラムを起動させる起動制御手段として機能させる制御プログラムと、が少なくとも記録されていることを特徴とする記録媒体。
【請求項３】
前記記録媒体に、前記管理プログラム又は前記管理プログラムをコンピュータにインストールするプログラムが記録されていることを特徴とする請求項１又は２に記載の記録媒体。
【請求項４】
前記管理プログラムは、前記記録媒体がコンピュータに装填されると、前記記録媒体に記録されている前記画像データに基づく画像を自動的に表示させることを特徴とする請求項１乃至３のいずれか一に記載の記録媒体。
【請求項５】
前記記録制御手段又は前記管理プログラムは、前記記録領域に、予め定められたルールに従って生成された名称のフォルダを作成し、該フォルダに前記画像データを記録することを特徴とする請求項１乃至４のいずれか一に記載の記録媒体。
【請求項６】
前記記録媒体の論理アドレス領域外に、該記録媒体を識別するための特定の情報が記録されていることを特徴とする請求項１乃至５のいずれか一に記載の記録媒体。
【請求項７】
前記特定の情報は、前記記録媒体の製造者を特定する情報と前記記録媒体の識別情報とを含むことを特徴とする請求項６記載の記録媒体。
【発明の詳細な説明】
【技術分野】
【０００１】
本発明は、入力されたデータを所定の記録領域に記録するための制御を行う制御プログラムが記録された記録媒体に関する。
【背景技術】
【０００２】
近年、写真に関連する様々なサービスが提供されるようになってきている。例えば、ユーザがデジタルカメラで写真を撮影し、デジタルカメラやデジタルカメラ用メディアをミニラボ等の写真店に持ち込み、店舗内に設けられた無人端末（キオスク）や店頭端末などを用いて、デジタルカメラやメディアに記録された画像データをＣＤ−Ｒ、ＤＶＤ−Ｒなどの記録媒体に書き込むことができる（例えば、特開平５−１８２３７３号公報等）。
【０００３】
また、ユーザがフィルムカメラで写真を撮影し、撮影済みのフィルムをミニラボ等の写真店に持ち込むと、写真店ではフィルムを現像した後、スキャナ等の読み取り装置を用いて画像データを読み取り、ＣＤ−Ｒ、ＤＶＤ−Ｒなどの記録媒体に書き込んでユーザに提供するサービスも行われている。
【０００４】
また、デジタルカメラやメディア、フィルムから読み取った画像データをＤＶＤプレーヤやＤＶＤレコーダ、ゲーム機などの画像再生機器で再生可能なファイル形式の画像データに変換し、元の画像データと変換した画像データとをＣＤ−Ｒ、ＤＶＤ−Ｒなどの記録媒体に書き込むサービスも行われている。
【０００５】
【特許文献１】特開平５−１８２３７３号公報（第４−６頁、第３図）
【発明の開示】
【発明が解決しようとする課題】
【０００６】
上記サービスを利用することにより、デジタルカメラやメディア等に記録された画像データや画像再生機器用に変換された画像データなどが記録された記録媒体を入手することができ、更に記録媒体に記録された画像データをコンピュータ機器のハードディスクなどにバックアップすることにより画像データを保管、管理することができるが、画像データをバックアップするためには、従来は所定のプログラム（例えば、ウィンドウズ（登録商標）のエクスプローラなど）を用いてユーザ自らが記録媒体の記録構造（フォルダ構成やフォルダ名称など）を調べ、この記録構造を参照して所望の画像データを特定しなければならず、操作が煩雑になるという問題があった。
【０００７】
また、ユーザ自らが画像データをバックアップする場合、画像データは任意の記録領域に記録すればよいわけではなく、画像データを管理するための特定の管理プログラムが管理可能な記録領域に記録しなければならず、従来はこの管理プログラムが管理可能な記録領域をユーザ自らが調べなければならないという問題もあった。
【０００８】
また、上記サービスを頻繁に利用するユーザの場合は、画像データが大量になるため、大量の画像データを管理しやすい名称のフォルダなどに整理して記録しないと、特定の管理プログラムを用いても画像データを簡単かつ確実に管理することができなくなってしまうという問題もあった。
【０００９】
そして、このような問題は、写真画像に基づく静止画像データに限らず、デジタルカメラなどで撮影して得られた動画データやインターネットなどを介して取得した音楽データ、コンテンツデータなどにおいても同様に生じる。
【００１０】
本発明は、上記問題点に鑑みてなされたものであって、その主たる目的は、簡単かつ確実に画像データを管理することができるように画像データを所定の記録領域に記録するための制御を行う制御プログラムが記録された記録媒体を提供することにある。
【課題を解決するための手段】
【００１１】
上記目的を達成するため、本発明の記録媒体は、画像データと、コンピュータを、記録媒体に記録された画像データに基づく画像を表示手段に表示させる表示制御手段、前記表示制御手段を機能させた後において、前記画像データを特定の管理プログラムが管理可能な記録領域に記録する記録制御手段として機能させる制御プログラムと、が少なくとも記録されているものである。
【００１２】
また、本発明の記録媒体は、画像データと、コンピュータを、記録媒体に記録された画像データに基づく画像を表示手段に表示させる表示制御手段、前記表示制御手段を機能させた後において、前記画像データを自らが管理可能な記録領域に記録する特定の管理プログラムを起動させる起動制御手段として機能させる制御プログラムと、が少なくとも記録されているものである。
【００１３】
本発明においては、前記記録媒体に、前記管理プログラム又は前記管理プログラムをコンピュータにインストールするプログラムが記録されている構成とすることができる。
【００１４】
また、本発明においては、前記管理プログラムは、前記記録媒体がコンピュータに装填されると、前記記録媒体に記録されている前記画像データに基づく画像を自動的に表示させる構成とすることができる。
【００１５】
また、本発明においては、前記記録制御手段又は前記管理プログラムは、前記記録領域に、予め定められたルールに従って生成された名称のフォルダを作成し、該フォルダに前記画像データを記録する構成とすることができる。
【００１６】
また、本発明においては、前記記録媒体の論理アドレス領域外に、該記録媒体を識別するための特定の情報が記録されている構成とすることもでき、前記特定の情報は、前記記録媒体の製造者を特定する情報と前記記録媒体の識別情報とを含むことが好ましい。
【００１７】
このように、本発明の構成によれば、記録媒体には、管理の対象となる画像データと制御プログラムとがセットになって記録されているため、ユーザは記録媒体をコンピュータ機器などに装填するだけで、表示制御手段によって記録媒体に記録された画像データが自動的に表示され、その後、記録制御手段によって該画像データは管理プログラムが管理可能な領域に自動的に記録、又は、起動制御手段により起動される管理プログラムによって該画像データは自身が管理可能な領域に自動的に記録されるため、管理プログラムを用いて簡単かつ確実に画像データを管理することができる。
【発明の効果】
【００１８】
本発明の制御プログラムが記録された記録媒体によれば、管理プログラムを用いて画像データを簡単かつ確実に管理することが可能となる。
【００１９】
その理由は、記録媒体には、管理の対象となる画像データに加えて、画像データを表示手段に表示させ、表示後に、特定の管理プログラムが管理可能な領域に記録させる制御プログラムがセットになって記録されているため、ユーザは記録媒体をコンピュータ機器などに装填するだけで記録媒体に記録された画像データが自動的に表示され、その後、管理プログラムが管理可能な領域に自動的に記録されるからである。
【００２０】
また、記録媒体に、管理の対象となる画像データに加えて、画像データを表示手段に表示させ、表示後に、該画像データを自己が管理可能な記録領域に記録する特定の管理プログラムを起動させる制御プログラムがセットになって記録されているため、ユーザは記録媒体をコンピュータ機器などに装填するだけで、記録媒体に記録された画像データが自動的に表示され、その後、起動された管理プログラムによって自身が管理可能な領域に自動的に記録されるからである。
【００２１】
また、画像データの記録に際して、該画像データが予め定められたルールに従って作成されたフォルダに分類されて記録されるからである。
【発明を実施するための最良の形態】
【００２２】
本発明に係る記録媒体は、その好ましい一実施の形態において、管理対象となる画像データと、コンピュータを、記録媒体に記録された画像データを表示手段に表示させる表示制御手段、該表示制御手段を機能させた後において、該画像データを特定の管理プログラムが管理可能な記録領域に記録させる記録制御手段、又は、画像データを自己が管理可能な記録領域に記録する特定の管理プログラムを起動させる起動制御手段として機能させる制御プログラムとが記録されたものであり、管理対象となる画像データと制御プログラムと必要に応じて管理プログラムとを記録媒体に記録してユーザに提供することにより、ユーザは記録媒体をコンピュータ機器のスロットに装填すれば、自動的に記録媒体に記録された画像データが表示手段に表示され、その後、画像データは特定の管理プログラムで管理可能な記録領域に自動的に記録されるため、ユーザ自らが記録領域を調べて記録しなくても、管理プログラムを用いて画像データを簡単かつ確実に管理することができる。また、記録領域には予め定められたルールに従ってフォルダが作成され、該フォルダに画像データが分類して記録されるため、大量の画像データを簡単かつ確実に管理することができる。
【実施例１】
【００２３】
上記実施形態について詳細に説明すべく、本発明の第１の実施例に係る制御プログラムが記録された記録媒体について、図１乃至図１４及び図１７を参照して説明する。図１は、第１の実施例に係る記録装置及びコンピュータ機器の構成を模式的に示す図であり、図２乃至図５は、記録装置の他の構成を模式的に示す図である。また、図６は、記録装置の手段を示すブロック図であり、図７は、制御プログラムにより機能する手段を示すブロック図である。また、図８は、記録装置を用いた記録媒体の作成手順を示すフローチャート図であり、図９は、コンピュータ機器を用いた画像データの記録手順を示すフローチャート図である。また、図１０及び図１１は、データの記録構造を示す図、図１２は、記録媒体におけるデータの記録領域を示す図、図１３は記録媒体（ＣＤ−Ｒ）の構造を模式的に示す図である。また、図１４及び図１７は、コンピュータ機器の表示手段に表示される画面の一例を示す図である。なお、本明細書及び特許請求の範囲における論理アドレス領域とは、ユーザのデータ（プログラム）が記録される領域であり、ユーザデータの配置情報が記録されるプログラムメモリ領域、リードイン・ＴＯＣ領域やリードアウト領域などの情報領域、ディスクの応用コードやレーザ記録パワーの推奨値、その他の情報が記録される案内溝変調（ＡＴＩＰ：Absolute Time In Pre-groove）情報の領域は含まず、また、論理アドレス領域外とは上記論理アドレス領域以外の領域を指すものとする。
【００２４】
図１に示すように、本実施例のシステムは、記録媒体９を作成する記録装置１と、該記録媒体９を利用するコンピュータ機器１０とからなり、記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１５を介してサーバ１６から画像データなどをダウンロードするネットワーク接続部等のデータ入力手段と、メディア８やデジタルカメラ７から読み取った、又はサーバ１６からダウンロードした画像データやＤＶＤプレーヤやＤＶＤレコーダ、ゲーム機などで再生可能な形式に変換された画像データと後述する制御プログラムとが記録されるＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体９を装填する記録媒体装填部４と、ボタン、キーボード、マウス等の操作手段６及びＬＣＤ、ＣＲＴ等の表示手段５（図では操作手段６と表示手段５とを兼ね備えるタッチパネルを示している。）とを備えている。
【００２５】
なお、図１では記録装置１として写真店やコンビニエンスストアなどの店舗に設置される無人端末（キオスク）を示しているが、記録装置１の形態は任意であり、例えば、図２に示すようにパーソナルコンピュータなどのコンピュータ機器としたり、図３に示すように専用のセットトップボックスとしたり、図４に示すようにポータブルライターなどとしたり、図５に示すように、演算処理機能を備えるＨＤＤレコーダやＤＶＤレコーダ、ゲーム機などとすることもできる。
【００２６】
また、記録装置１に備える主な手段をブロック図で示すと図６のようになり、メディア装填部２や機器接続部３、ネットワーク接続部などを用いて画像データを入力するデータ入力手段１７と、必要に応じて、画像データのデータサイズを縮小したサムネイル画像データやスクリーンネイル画像データなどの縮小画像データを作成したり、画像データをＤＶＤプレーヤやＤＶＤレコーダ、ゲーム機等の画像再生機器で読み取り可能なＶｉｄｅｏ−ＣＤ形式、ＤＶＤ−Ｖｉｄｅｏ形式、ＨＤＴＶ形式などの動画データに変換するデータ変換手段１８と、上記データと制御プログラムとを所定の記録手段（ここでは記録媒体９）に記録する制御を行うデータ記録手段１９と、制御プログラムや管理プログラムなどを記憶する記憶手段２０と、必要に応じて、記録媒体９に予め記録されている識別情報を読み取って該記録媒体９を識別する記録媒体識別手段２１と、表示手段５及び操作手段６とを備えている。
【００２７】
また、記録媒体９に記録される制御プログラムにより機能する手段をブロック図で示すと図７のようになり、記録媒体９に記録された画像データをコンピュータ機器１０の表示手段１２に表示させる表示制御手段２２と、表示制御手段２２により画像データが表示された後に、該画像データを所定の記録領域に記録する制御を行う記録制御手段２３とを備え、記録制御手段２３には、画像データを管理するための特定の管理プログラムが管理可能な記録領域を特定する記録領域特定手段２４を備えている。
【００２８】
上記構成の記録装置１を用いて記録媒体９を作成する手順について、図８のフローチャート図を参照して説明する。
【００２９】
まず、ステップＳ１０１で、記録装置１のメディア装填部２にメディア８を装填、又は、機器接続部３にデジタルカメラ７やカメラ付き携帯電話機７ａを接続、又はネットワーク接続部を通信ネットワーク１５に接続すると共に、記録媒体装填部４に記録媒体９を装填する。なお、記録媒体９はデータが記録されていないものを用いてもよいし、管理プログラムやスライドショープログラムなどの他のプログラム、音楽データなどが予め記録された記録媒体をユーザが購入する構成としてもよい。次に、ステップＳ１０２で、データ入力手段１７を用いて、デジタルカメラ７やメディア８に記録された画像データ（静止画像データや動画データ、画像情報を含むデータなどを総称して画像データと呼ぶ。）やサーバ１６に記録された画像データを読み取り、必要に応じて、表示手段５や操作手段６を用いて記録媒体９に記録する画像データを選択する。
【００３０】
次に、ステップＳ１０３で、必要に応じて、画像データを音楽付きスライドショーとして再生するためのＢＧＭとして利用する音楽データをメディア８やサーバ１６、記録装置１の記憶手段などから読み取る。なお、音楽データはユーザが選択してもよいし、予めデフォルトとして設定された音楽データを用いてもよい。
【００３１】
次に、ステップＳ１０４で、必要に応じて、読み取った画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができる。
【００３２】
次に、ステップＳ１０５で、必要に応じて、読み取った画像データをＤＶＤプレーヤやＤＶＤレコーダ、ゲーム機等の画像再生機器で読み取り可能な動画データ（Ｖｉｄｅｏ−ＣＤ形式、ＤＶＤ−Ｖｉｄｅｏ形式、ＨＤＴＶ形式などのデータ）に変換する。なお、画像データから動画データを作成する方法は特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。
【００３３】
次に、入力された画像データや変換されたデータを記録媒体９に記録するが、その際、任意の記録媒体９に対してデータの記録ができるようにしてもよいし、正規に作成された記録媒体９に対してのみデータの記録を許可するようにしてもよい。後者の場合は、例えば、ステップＳ１０６で、記録媒体識別手段２１を用いて、記憶手段２０に予め記憶された位置情報（例えば、物理アドレス）を参照して、該位置に予め特定の識別情報が書き込まれているか否かを判断し、識別情報が書き込まれている場合にのみデータ記録手段１５によるデータの記録を開始する構成とすることができる。
【００３４】
その場合、上記識別情報は不正なデータの記録を防止するために設けるものであるため、識別情報の記録場所や中身が容易に知られてしまうと識別情報自体もコピーされてしまい、不正なデータの記録を防止することができなくなってしまうため、識別情報の少なくとも一部はコンピュータのＯＳではアクセスできない領域（すなわち、論理アドレス領域外）、具体的にはディスク型記録媒体の論理アドレス領域の内側の領域に書き込まれていることが好ましい。
【００３５】
ここで、一般的な記録媒体９の構造について、図１３を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込み、読み出しを確実に行うためにはＣＤ-Ｒがどのような色素を用いて製作されているかをドライブ側が認識する必要がある。そこで、ＣＤ−Ｒに用いる色素の種別やＣＤ-Ｒを製作するメーカの名称などの情報を記録媒体９の製造段階でその最内周に書き込み、その情報をドライブのファームウェアが読み取り、ファームウェアが独自にレーザヘッドを制御してレーザパワーの調整を行っている。このようにディスクの最内周の領域はＣＤ-Ｒの素性に関する情報を記録する領域として使用され、通常、ＯＳではアクセスすることができない領域であることから、この領域（論理アドレス領域外）に記録媒体９の識別情報を書き込むことにより、識別情報自体がコピーされないようにすることができる。
【００３６】
なお、識別情報の具体的な構成は任意であり、少なくとも記録媒体識別手段２１が識別できる情報であればよいが、上記したように記録媒体９の論理アドレス領域外にはメーカの名称が予め記録されていることから、このメーカの名称と記録媒体９に対して付与される番号とを識別情報として用いることにより、記録媒体９が正規に作成されたものか否かを簡単かつ確実に識別することができる。
【００３７】
そして、識別情報が書き込まれている記録媒体９にデータを記録するが、画像再生機器ではデータを読み込むことができる記録領域が限定されるため、ステップＳ１０７で、作成された動画データや関連付けファイル等（以下、これらを総称して画像再生機器用データ群と呼ぶ。）を予め設けた書き込み用の所定のフォルダに転送した後、データ記録手段１９を用いて、該フォルダから画像再生機器用データ群を読み出して、記録媒体９の論理アドレス領域の内側に記録する。その後、ステップＳ１０８で、必要に応じて、データ記録手段を用いて、コンピュータ機器用のデータの記録を行う前に、画像再生機器で使用可能なデータの領域を区分するために一旦セッションをクローズする。
【００３８】
次に、ステップＳ１０９で、予め記憶手段２０に記録されている制御プログラム（制御プログラムの動作については後述する。）を読み出し、特定の管理プログラムによる管理対象となる画像データと制御プログラムと設定ファイルと必要に応じて音楽データなど（以下、これらを総称してコンピュータ機器用データ群と呼ぶ。）を予め設けた書き込み用の所定のフォルダに転送した後、データ記録手段１９を用いて、該フォルダからコンピュータ機器用データ群を読み出して、記録媒体９に先に記録された画像再生機器用データ群の外側に記録して一連の書き込み処理を終了する。
【００３９】
上記手順で作成された記録媒体９には図１２に示すように各種情報が記録され、ディスク型記録媒体９の最も内側の論理アドレス領域外には、必要に応じて所定の形式（好ましくはファイル形式でないデータ形式）の識別情報が記録され、その外側の論理アドレス領域の内側には、必要に応じて画像再生機器用データ群が記録され、更にその外側には本発明の特徴である画像データと制御プログラムとを含むコンピュータ機器データ群が記録される。
【００４０】
また、上記手順で作成された記録媒体９の記録構造は、例えば、図１０に示すようになり、コンピュータ機器用データ群は、”PS_Roll”フォルダ内の画像データ、サムネイル画像データ、スクリーンネイル画像データなどの画像データ群、”APPL”フォルダ内の制御プログラム、スライドショープログラム、スライドショーの設定ファイル、自動起動ファイル（Autorun.inf）、必要に応じて”Filling box installer”フォルダ内の音楽データ、操作画面などを構成するデータ及び管理プログラムをインストールするためのプログラム（setup.exe）などの他のデータ群とで構成され、画像再生機器用データ群は、Ｖｉｄｅｏ−ＣＤ形式のデータの場合は、図１０（ａ）に示すように、”VCD”フォルダ内の画像データをＶｉｄｅｏ−ＣＤ形式データとして関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで構成され、ＤＶＤ−Ｖｉｄｅｏ形式のデータの場合は、図１０（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などで構成される。
【００４１】
なお、画像データ群の記録構造は任意であるが、画像データ群をコンピュータ機器１０などにバックアップした場合における管理を容易にするために、予め定められたルールに従ってフォルダを構成し、そのフォルダにユニークな名称を付与することが好ましい。例えば、図１０に示すように、画像データの格納場所を示すフォルダ（PS_Roll）の下位の階層にメディア８毎、機器毎、フィルム毎の画像データの格納場所を示すフォルダ（ROYYMMDDyyy_XXXXXXAABxxx）を作成し、各々の要素を、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号などとしてもよい。
【００４２】
次に、上記記録装置１で作成された記録媒体９に記録された画像データを、管理プログラムで管理可能な記録領域（ここではコンピュータ機器１０のハードディスク内の管理可能な記録領域）にバックアップする手順について、図９のフローチャート図を参照して説明する。
【００４３】
まず、ステップＳ２０１で、記録媒体９をコンピュータ機器１０の記録媒体装填部１４に装填すると、ステップＳ２０２で、記録媒体９に記録されている制御プログラムが自動的に起動する。そして、ステップＳ２０３で、制御プログラムの表示制御手段２２により、コンピュータ機器１０の表示手段１２に画像データが自動的に表示される。なお、表示制御手段２２による表示形態は任意であり、例えば、画像データに基づく画像を１つずつ表示してもよいし、複数の画像データに基づく画像を配列して表示してもよい。画像を配列して表示する場合は、例えば、図１７に示すように、画像データの縮小画像（サムネイル画像）を一覧表示するアルバム表示欄３１と、画像データを用いた処理を選択する作業メニュー欄３２などを備える画像表示画面３０を表示することもできる。
【００４４】
次に、ステップＳ２０４で、必要に応じて、マウスやキーボード、タッチパネルなどの操作手段１３を用いて所望の画像データを選択すると、ステップＳ２０５で、制御プログラムの記録領域特定手段２４は、特定の管理プログラムが管理可能な記録領域を特定する。この管理プログラムはコンピュータ機器１０に予めインストールされている構成としてもよいし、記録媒体９に管理プログラムを記録しておく構成としてもよいし、記録媒体９に管理プログラムをインストールするためのプログラム（図１０の記録構造における”Filing box installer”フォルダ内の”Setup.exe”）を記録しておき、所望のタイミング（例えば、記録媒体装填部１４に記録媒体９を装填した時や画像データをバックアップする時など）で管理プログラムが自動的にインストールされる構成とすることもできる。また、特定の管理プログラムが管理可能な記録領域とは、該管理プログラムを起動すると該管理プログラムが自動的に画像データを検索する領域のことであり、管理プログラムとして特定のプログラムを用いる場合は該管理プログラムが検索する記録領域が予め分かっているため、記録領域特定手段２４はその記録領域を画像データが記録される領域として特定する。
【００４５】
そして、ステップＳ２０６で、制御プログラムの記録制御手段２３は、表示制御手段２２によって表示された画像（又はその中から選択された画像）の基となる画像データを、記録領域特定手段２４によって特定された記録領域に記録する。また、必要に応じて、記録された画像データを特定する情報や該画像データの記録場所を特定する情報などをデータベースとして所定のファイル（例えば、図１０のinfo.txt）に記録する。また、必要に応じて、上記管理プログラムをコンピュータ機器１０のハードディスクなどに記録する。なお、記録媒体９に複数種類の画像データ（例えば、図１０に示すオリジナルの画像データとサムネイル画像データとスクリーンネイル画像データなど）が記録されている場合に、特定された記録領域には、全ての種類の画像データを記録してもよいし、特定の種類の画像データのみを記録してもよい。その選択を行う場合は、画像選択画面３０の作業メニュー欄３２に、全ての種類の画像データをバックアップするのか、特定の種類の画像データ（ここではサムネイル画像データ）のみをバックアップするのかなどを選択するためのボタンを設けておき、所望のボタンを押すと、ボタンで指定された種類の画像データがバックアップされるようにしてもよい。
【００４６】
ここで、該記録領域における画像データの記録構造も任意であるが、記録媒体９から読み取った画像データの管理を容易にするために、図１１に示すように記録媒体９の記録構造を維持して画像データ群を記録することが好ましい。また、複数の記録媒体９の画像データをバックアップする場合にこれらの画像データを管理しやすくするために、PS_Rollフォルダの上位の階層に移住してきた画像データの格納場所を示すフォルダ（PSYYMMDDyyy_XXXXXXAAB：YYMMDD、yyy、XXXXXX、AA、Bの意味は上記と同様）などを作成してもよい。また、インストール用プログラム（図１０の”Steup.exe”）を用いて管理プログラムをインストールする場合は、所定の記録位置（例えば、Program Filesの下位の階層）に所定のフォルダ（ここではFiling Box）を作成し、その中に管理プログラム（図１１の”Filing box.exe”）を記録すると共に、他のアプリケーションやデータの格納場所を示すフォルダ（ここではinstaller）を作成してこれらのアプリケーションやデータを記録する構成とすることもできる。
【００４７】
そして、ステップＳ２０７で、管理プログラムを起動すると、該管理プログラムは上記記録領域に記録されている画像データを読み取り、ユーザが管理できる形態で表示する。この管理プログラムは画像データを管理するために用いられるプログラムの総称であり、画像データの管理が可能である限りにおいてその形態や機能は任意であるが、例えば、図１４に示すような作業メニュー付きアルバム表示画面２５が表示される構成とすることができる。この作業メニュー付きアルバム表示画面２５には、例えば、画像データの供給元（例えば、コンピュータ機器１０のＨＤＤ、記録媒体９、デジタルカメラ７やメディア８等）を示すタグ表示欄２６と、画像データの縮小画像（サムネイル画像）を一覧表示するアルバム表示欄２７と、画像データを用いた処理を選択する作業メニュー欄２８とが表示され、タグ表示欄２６で”ＨＤＤ画像を見る”を選択すると、上記記録領域に記録された画像データが読み出され、アルバム表示欄２７にアルバム状に配列して表示されるため、ユーザは画像データを簡単かつ確実に管理することができる。
【００４８】
なお、上記手順では、記録媒体９を記録媒体装填部１４に装填すると、自動的に制御プログラムが起動して画像データをバックアップする構成としたが、記録媒体９を装填すると、メニュー画面が表示されて、その中からバックアップを選択した場合にバックアップが実行される構成としてもよい。
【００４９】
このように、本実施例では、記録装置１で作成される記録媒体９には、管理プログラムによる管理対象となる画像データと共に、該画像データを表示手段に表示させる表示制御機能と、表示制御機能が実行された後に該画像データを特定の管理プログラムが管理可能な記録領域に記録する記録制御機能とを有する制御プログラムと、必要に応じて、管理プログラム又は管理プログラムをインストールするためのプログラムとが記録されているため、ユーザは記録媒体９を装填するのみで、管理プログラムを用いて画像データを簡単かつ確実に管理することができる。
【実施例２】
【００５０】
次に、本発明の第２の実施例に係る制御プログラムが記録された記録媒体について、図１５及び図１６を参照して説明する。図１５は、管理プログラムにより機能する手段を示すブロック図であり、図１６は、コンピュータ機器を用いた画像データの記録手順を示すフローチャート図である。なお、前記した第１の実施例では、記録媒体９に記録する制御プログラムに画像データを所定の記録領域に記録させる記録制御機能を持たせたが、本実施例では、制御プログラムでは、自ら画像データを記録せずに特定の管理プログラムを起動させ、管理プログラムにより画像データを記録させる構成としている。
【００５１】
その場合、制御プログラムにより機能する手段をブロック図で示すと、図１５のようになる。すなわち、記録媒体９に記録された画像データをコンピュータ機器１０の表示手段１２に表示させる表示制御手段２２と、表示制御手段２１により画像データが表示された後、該画像データを自己が管理可能な記録領域に記録する特定の管理プログラムを起動させる起動制御手段２９とを備え、記録媒体９には、画像データと共に上記構成の制御プログラムが記録される。
【００５２】
次に、記録装置１で作成された記録媒体９に記録された画像データを、管理プログラムで管理可能な記録領域（ここではコンピュータ機器１０のハードディスク内の管理可能な記録領域）にバックアップする手順について、図１６のフローチャート図を参照して説明する。
【００５３】
まず、ステップＳ３０１で、記録媒体９をコンピュータ機器１０の記録媒体装填部１４に装填すると、ステップＳ３０２で、記録媒体９に記録されている制御プログラムが自動的に起動する。そして、ステップＳ３０３で、制御プログラムの表示制御手段２２により、コンピュータ機器１０の表示手段１２に画像データが自動的に表示される。なお、表示制御手段２２による表示形態は任意であり、第１の実施例と同様に、例えば、画像データに基づく画像を１つずつ表示してもよいし、複数の画像データに基づく画像を配列して表示してもよい。
【００５４】
次に、ステップＳ３０４で、必要に応じて、マウスやキーボード、タッチパネルなどの操作手段１３を用いて所望の画像データを選択すると、ステップＳ３０５で、制御プログラムの起動制御手段２９は、画像データを自己が管理可能な記録領域に記録する特定の管理プログラムを起動させる。この管理プログラムは、第１の実施例と同様に、コンピュータ機器１０に予めインストールされていてもよいし、記録媒体９に管理プログラムを記録しておく構成としてもよいし、記録媒体９に管理プログラムをインストールするためのプログラム（図１０の記録構造における”Filing box installer”フォルダ内の”Setup.exe”）を記録しておき、所望のタイミング（例えば、記録媒体装填部１４に記録媒体９を装填した時など）に管理プログラムが自動的にインストールされるようにしてもよい。
【００５５】
そして、ステップＳ３０６で、特定の管理プログラムは、表示制御手段２２によって表示された画像（又はその中から選択された画像）の基となる画像データを記録媒体９から読み出し、該画像データを自らが管理可能な記録領域に記録する。また、必要に応じて、記録された画像データを特定する情報や該画像データの記録場所を特定する情報などをデータベースとして所定のファイル（例えば、図１０のinfo.txt）に記録する。
【００５６】
その後、ステップＳ３０７で、管理プログラムを操作すると、該管理プログラムは上記記録領域に記録されている画像データを読み取り、ユーザが管理できる形態で表示する。この管理プログラムは、第１の実施例と同様に、画像データの管理が可能である限りにおいてその形態や機能は任意であるが、例えば、図１４に示すような作業メニュー付きアルバム表示画面２５が表示される構成とすることができる。
【００５７】
このように、本実施例では、記録装置１で作成される記録媒体９には、管理プログラムによる管理対象となる画像データと共に、該画像データを表示手段に表示させる表示制御機能と、表示機能が実行された後に特定の管理プログラムを起動させる起動制御機能とを有する制御プログラムと、必要に応じて、管理プログラム又は管理プログラムをインストールするためのプログラムとが記録されているため、ユーザは記録媒体９を装填するのみで、管理プログラムを用いて画像データを簡単かつ確実に管理することができる。
【００５８】
なお、上記各実施例では、管理プログラムにより画像データを管理する場合について記載したが、本発明は上記実施例に限定されるものではなく、管理プログラムにより音楽データやコンテンツなどの他の種類のデータを管理する場合についても同様に適用することができる。例えば、音楽データを管理する場合は、音楽データを再生した後、記録制御機能又は起動制御機能によって起動された管理プログラムにより、音楽データを管理プログラムで管理可能な記録領域に記録することができる。
【図面の簡単な説明】
【００５９】
【図１】本発明の第１の実施例に係る記録装置及びコンピュータ機器の構成を模式的に示す図である。
【図２】本発明の第１の実施例に係る記録装置の他の構成を示す図である。
【図３】本発明の第１の実施例に係る記録装置の他の構成を示す図である。
【図４】本発明の第１の実施例に係る記録装置の他の構成を示す図である。
【図５】本発明の第１の実施例に係る記録装置の他の構成を示す図である。
【図６】本発明の第１の実施例に係る記録装置の手段を示すブロック図である。
【図７】本発明の第１の実施例に係る制御プログラムにより機能する手段を示すブロック図である。
【図８】本発明の第１の実施例に係る記録装置を用いた記録媒体の作成手順を示すフローチャート図である。
【図９】本発明の第１の実施例に係る画像データのバックアップ手順を示すフローチャート図である。
【図１０】本発明の第１の実施例の記録媒体におけるデータの記録構造を示す図である。
【図１１】本発明の第１の実施例のコンピュータ機器のハードディスクにおけるデータの記録構造を示す図である。
【図１２】本発明の第１の実施例の記録媒体におけるデータの記録領域を模式的に示す図である。
【図１３】記録媒体（ＣＤ−Ｒ）の構造を模式的に示す図である。
【図１４】本発明の第１の実施例に係るコンピュータ機器の表示手段に表示される画面構成例を示す図である。
【図１５】本発明の第２の実施例に係る管理プログラムにより機能する手段を示すブロック図である。
【図１６】本発明の第２の実施例に係る画像データのバックアップ手順を示すフローチャート図である。
【図１７】本発明の第１の実施例に係るコンピュータ機器の表示手段に表示される画面構成例を示す図である。
【符号の説明】
【００６０】
１  記録装置
２  メディア装填部
３  機器接続部
４  記録媒体装填部
５  表示手段
６  操作手段
７  デジタルカメラ
７ａ  カメラ付き携帯電話機
８  メディア
９  記録媒体
９ａ  ＩＤ情報記録手段
１０  コンピュータ機器
１１  本体
１２  表示手段
１３  操作手段
１４  記録媒体装填部
１５  通信ネットワーク
１６  サーバ
１７  データ入力手段
１８  データ変換手段
１９  データ記録手段
２０  記憶手段
２１  記録媒体識別手段
２２  表示制御手段
２３  記録制御手段
２４  記録領域特定手段
２５  作業メニュー付きアルバム表示画面
２６  タグ表示欄
２７  アルバム表示欄
２８  作業メニュー欄
２９  起動制御手段
３０  画像表示画面
３１  アルバム表示欄
３２  作業メニュー欄
１００  ポリカーボネート基板
１０１  有機色素層
１０２  反射層
１０３  保護層
【図１】
2005332562.tif 000003
【図２】
2005332562.tif 000004
【図３】
2005332562.tif 000005
【図４】
2005332562.tif 000006
【図５】
2005332562.tif 000007
【図６】
2005332562.tif 000008
【図７】
2005332562.tif 000009
【図８】
2005332562.tif 000010
【図９】
2005332562.tif 000011
【図１０】
2005332562.tif 000012
【図１１】
2005332562.tif 000013
【図１２】
2005332562.tif 000014
【図１３】
2005332562.tif 000015
【図１４】
2005332562.tif 000016
【図１５】
2005332562.tif 000017
【図１６】
2005332562.tif 000018
【図１７】
2005332562.tif 000019